【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  被写体を撮影する撮影手段と、
前記撮影された画像を編集する編集手段と、
前記撮影された画像を含む第１の領域と前記編集用画像を含む第２の領域とを表示する表示手段とを備える写真自動販売機であって、
ユーザの指示を受付けて、前記第２の領域に表示される前記編集用画像を変化させる変化手段と、
前記ユーザより前記変化した編集用画像の前記撮影された画像上の入力位置を受付ける入力位置受付手段とをさらに備え、
前記表示手段は、前記変化した編集用画像を表示し、
前記編集手段は、前記撮影された画像の前記受付けた入力位置に、前記変化した編集用画像を入力する、写真自動販売機。
【請求項２】  前記変化手段は、前記第２の領域に表示される複数の編集用画像を一括して変化させる、請求項１に記載の写真自動販売機。
【請求項３】  前記変化手段は、前記ユーザの指示を受付けてから停止の指示を受けるまで、時間と共に前記編集用画像を変化させ、
前記表示手段は、前記時間と共に変化する編集用画像を表示する、請求項１または２に記載の写真自動販売機。
【請求項４】  前記表示手段は、前記時間と共に変化する編集用画像を第３の領域に表示する、請求項３に記載の写真自動販売機。
【請求項５】  被写体を撮影する撮影ステップと、
前記撮影された画像を編集する編集ステップと、
前記撮影された画像を含む第１の領域と前記編集用画像を含む第２の領域とを表示する表示ステップとを備える写真自動販売機における編集用画像提示方法であって、
ユーザの指示を受付けて、前記第２の領域に表示される前記編集用画像を変化させる変化ステップと、
前記ユーザより前記変化した編集用画像の前記撮影された画像上の入力位置を受付ける入力位置受付ステップとをさらに備え、
前記表示ステップは、前記変化した編集用画像を表示し、
前記編集ステップは、前記撮影された画像の前記受付けた入力位置に、前記変化した編集用画像を入力する、写真自動販売機における編集用画像提示方法。
【請求項６】  前記変化ステップは、前記第２の領域に表示される複数の編集用画像を一括して変化させる、請求項５に記載の写真自動販売機における編集用画像提示方法。
【請求項７】  前記変化ステップは、前記ユーザの指示を受付けてから停止の指示を受けるまで、時間と共に前記編集用画像を変化させ、
前記表示ステップは、前記時間と共に変化する編集用画像を表示する、請求項５または６に記載の写真自動販売機における編集用画像提示方法。
【請求項８】  前記表示ステップは、前記時間と共に変化する編集用画像を第３の領域に表示する、請求項７に記載の写真自動販売機における編集用画像提示方法。
【請求項９】  写真自動販売機における編集用画像提示方法をコンピュータに実行させるプログラムであって、
被写体を撮影する撮影ステップと、
前記撮影された画像を編集する編集ステップと、
前記撮影された画像を含む第１の領域と前記編集用画像を含む第２の領域とを表示する表示ステップと、
ユーザの指示を受付けて、前記第２の領域に表示される前記編集用画像を変化させる変化ステップと、
前記ユーザより前記変化した編集用画像の前記撮影された画像上の入力位置を受付ける入力位置受付ステップとをコンピュータに実行させ、
前記表示ステップは、前記変化した編集用画像を表示し、
前記編集ステップは、前記撮影された画像の前記受付けた入力位置に、前記変化した編集用画像を入力する、写真自動販売機における編集用画像提示プログラム。
【請求項１０】  前記変化ステップは、前記第２の領域に表示される複数の編集用画像を一括して変化させる、請求項９に記載の写真自動販売機における編集用画像提示プログラム。
【請求項１１】  前記変化ステップは、前記ユーザの指示を受付けてから停止の指示を受けるまで、時間と共に前記編集用画像を変化させ、
前記表示ステップは、前記時間と共に変化する編集用画像を表示する、請求項９または１０に記載の写真自動販売機における編集用画像提示プログラム。
【請求項１２】  前記表示ステップは、前記時間と共に変化する編集用画像を第３の領域に表示する、請求項１１に記載の写真自動販売機における編集用画像提示プログラム。
【手続補正２】
【補正対象書類名】明細書
【補正対象項目名】００１０
【補正方法】変更
【補正の内容】
【００１０】
【課題を解決するための手段】
上記目的を達成するために、本発明のある局面に従うと、写真自動販売機は、被写体を撮影する撮影手段と、撮影された画像を編集する編集手段と、撮影された画像を含む第１の領域と編集用画像を含む第２の領域とを表示する表示手段とを備える写真自動販売機であって、ユーザの指示を受付けて、第２の領域に表示される編集用画像を変化させる変化手段と、ユーザより変化した編集用画像の撮影された画像上の入力位置を受付ける入力位置受付手段とをさらに備え、表示手段は、変化した編集用画像を表示し、編集手段は、撮影された画像の受付けた入力位置に、変化した編集用画像を入力する。
【手続補正３】
【補正対象書類名】明細書
【補正対象項目名】００１１
【補正方法】変更
【補正の内容】
【００１１】
また、上述の変化手段は、第２の領域に表示される複数の編集用画像を一括して変化させることが望ましい。
【手続補正４】
【補正対象書類名】明細書
【補正対象項目名】００１２
【補正方法】変更
【補正の内容】
【００１２】
また、上述の変化手段は、ユーザの指示を受付けてから停止の指示を受けるまで、時間と共に編集用画像を変化させ、表示手段は、時間と共に変化する編集用画像を表示することが望ましい。
【手続補正５】
【補正対象書類名】明細書
【補正対象項目名】００１３
【補正方法】変更
【補正の内容】
【００１３】
さらに、表示手段は、時間と共に変化する編集用画像を第３の領域に表示することが望ましい。
【手続補正６】
【補正対象書類名】明細書
【補正対象項目名】００１４
【補正方法】変更
【補正の内容】
【００１４】
本発明の他の局面に従うと、写真自動販売機における編集用画像提示方法は、被写体を撮影する撮影ステップと、撮影された画像を編集する編集ステップと、撮影された画像を含む第１の領域と編集用画像を含む第２の領域とを表示する表示ステップとを備える写真自動販売機における編集用画像提示方法であって、ユーザの指示を受付けて、第２の領域に表示される編集用画像を変化させる変化ステップと、ユーザより変化した編集用画像の撮影された画像上の入力位置を受付ける入力位置受付ステップとをさらに備え、表示ステップは、変化した編集用画像を表示し、編集ステップは、撮影された画像の受付けた入力位置に、変化した編集用画像を入力する。
【手続補正７】
【補正対象書類名】明細書
【補正対象項目名】００１５
【補正方法】変更
【補正の内容】
【００１５】
また、上述の変化ステップは、第２の領域に表示される複数の編集用画像を一括して変化させることが望ましい。
【手続補正８】
【補正対象書類名】明細書
【補正対象項目名】００１６
【補正方法】変更
【補正の内容】
【００１６】
また、上述の変化ステップは、ユーザの指示を受付けてから停止の指示を受けるまで、時間と共に編集用画像を変化させ、表示ステップは、時間と共に変化する編集用画像を表示することが望ましい。
【手続補正９】
【補正対象書類名】明細書
【補正対象項目名】００１７
【補正方法】変更
【補正の内容】
【００１７】
さらに、変化ステップは、ユーザの指示を受付けてから停止の指示を受付けるまで、時間と共に編集用画像を変化させ、表示ステップは、時間と共に変化する編集用画像を第３の領域に表示することが望ましい。
【手続補正１０】
【補正対象書類名】明細書
【補正対象項目名】００１８
【補正方法】変更
【補正の内容】
【００１８】
本発明のさらに他の局面に従うと、写真自動販売機における編集用画像提示プログラムは、写真自動販売機における編集用画像提示方法をコンピュータに実行させるプログラムであって、被写体を撮影する撮影ステップと、撮影された画像を編集する編集ステップと、撮影された画像を含む第１の領域と編集用画像を含む第２の領域とを表示する表示ステップと、ユーザの指示を受付けて、第２の領域に表示される前記編集用画像を変化させる変化ステップと、ユーザより変化した編集用画像の撮影された画像上の入力位置を受付ける入力位置受付ステップとをコンピュータに実行させ、表示ステップは、変化した編集用画像を表示し、編集ステップは、撮影された画像の受付けた入力位置に、変化した編集用画像を入力する。
【手続補正１１】
【補正対象書類名】明細書
【補正対象項目名】００１９
【補正方法】変更
【補正の内容】
【００１９】
また、上述の変化ステップは、第２の領域に表示される複数の編集用画像を一括して変化させることが望ましい。
【手続補正１２】
【補正対象書類名】明細書
【補正対象項目名】００２０
【補正方法】変更
【補正の内容】
【００２０】
また、上述の変化ステップは、ユーザの指示を受付けてから停止の指示を受けるまで、時間と共に編集用画像を変化させ、表示ステップは、時間と共に変化する編集用画像を表示することが望ましい。
【手続補正１３】
【補正対象書類名】明細書
【補正対象項目名】００２１
【補正方法】変更
【補正の内容】
【００２１】
さらに、表示ステップは、時間と共に変化する編集用画像を第３の領域に表示することが望ましい。